(57)【要約】【課題】デザインや色調のバリエーションに富んだ図柄を布に施すことができると共に、該布をジーンズ等の製品に用いた際に、継続使用による顕著な外観変化を得ることのできる図柄入り布製品の製造方法を提供する。【解決手段】まず、インディゴ染料よりも摩擦堅牢度の高い染料又は顔料を用いて布に図柄を施し、その後、前記図柄の上から前記布にインディゴ染料を塗布することにより、前記図柄を隠蔽する。これにより製造された布から成るジーンズ等では、着用や洗濯時の摩擦によりインディゴ染料が徐々に色落ちしていき、前記染料又は顔料で染めた図柄が次第に顕在化する。  【選択図】図１
2015094057.tif 000002
【特許請求の範囲】
【請求項１】
a)インディゴ染料よりも摩擦堅牢度の高い染料又は顔料を用いて布に図柄を施す図柄染め工程と、
b)前記図柄の上から前記布にインディゴ染料を塗布するインディゴ塗布工程と、
を有することを特徴とする図柄入り布製品の製造方法。
【請求項２】
前記図柄染め工程において前記布の裏側から前記染料又は顔料を該布に付着させて、その一部を該布の表側に浸透させることにより該表側に図柄を施し、前記インディゴ塗布工程において前記布の表側からインディゴ染料を塗布することを特徴とする請求項１に記載の図柄入り布製品の製造方法。
【発明の詳細な説明】
【技術分野】
【０００１】
本発明は、デニム生地等の布に図柄を付与することにより新規な図柄入り布製品を製造するための方法に関する。
【背景技術】
【０００２】
従来より、デニム生地から成るジーンズ製品に装飾のための図柄を付与する方法が提案されている。例えば、特許文献１には、インディゴ染料で染色した布に反応染料により図柄をプリントし、更に脱色洗浄する方法が記載されている。また、特許文献２には、デニム生地上に装飾したい図柄の外形形状に沿って糸目糊を置き、該糸目糊を置いた領域の内側の地色を抜染処理した上で友禅染によって図柄を形成する方法が記載されている。しかし、これらの方法で図柄を付与されたジーンズは、通常のジーンズと同様に、使用中の摩擦や洗濯によって徐々にインディゴ染料が退色して生地の色が明るくなるほかは、長期使用による大きな外観の変化は得られなかった。
【０００３】
一方、特許文献３には、表面が濃色で中心部が白色の中白糸を経糸とし、表面から中心部までが濃色の糸を緯糸として織柄を形成したデニム生地が記載されている。このようにして製造されたデニム生地から成るジーンズ製品は、通常のジーンズ製品と同様に、継続使用によって経糸及び緯糸の表面が徐々に摩耗する。このとき、緯糸は中心部まで濃色のため大きな色調の変化は見られないが、経糸は表面の濃色部分が失われて中心の白色部分が露出するため色調が変化する。その結果、中白糸と濃色糸で形成された織柄の濃淡のコントラストが徐々に大きくなるため、顕著な外観変化を楽しむことができる。しかし、この方法は織柄によって図柄を施すものであるため、表現できる図柄に限りがある。また、継続使用により現れる図柄の色調はインディゴ染料の濃淡による濃紺から白色に限定される。そのため、この方法ではバリエーションに富んだ装飾を施すことが困難であった。
【先行技術文献】
【特許文献】
【０００４】
【特許文献１】国際公開第WO2007/029476号
【特許文献２】特開2008-88572号公報
【特許文献３】実用新案登録第3151998公報
【特許文献４】特許第4579966号公報
【発明の概要】
【発明が解決しようとする課題】
【０００５】
本発明は上記の点に鑑みて成された物であり、その目的とするところは、デザインや色調のバリエーションに富んだ図柄を布に施すことができると共に、該布をジーンズ等の製品に用いた際に、継続使用による顕著な外観変化を得ることのできる図柄入り布製品の製造方法を提供することにある。
【課題を解決するための手段】
【０００６】
上記課題を解決するために成された本発明に係る図柄入り布製品の製造方法は、
a)インディゴ染料よりも摩擦堅牢度の高い染料又は顔料を用いて布に図柄を施す図柄染め工程と、
b)前記図柄の上から前記布にインディゴ染料を塗布するインディゴ塗布工程と、
を有することを特徴としている。
【０００７】
なお、前記布は布帛（織物）であってもよく、メリヤスやジャージーのようなニット（編み物）であってもよい。また、前記図柄染め工程及びインディゴ塗布工程は、前記布が生地の状態で行ってもよく、裁断や縫製を経て衣類等に仕立てられた状態で行ってもよい。
【０００８】
上記の通り、本発明に係る図柄付き布製品の製造方法によれば、染料又は顔料によって布に図柄を施し、その上からインディゴ染料を塗布するため、完成した図柄入り布製品は、インディゴの濃紺により、その下の図柄が完全に隠れるか、ほぼ隠れた状態となる。しかしながら、インディゴ染料は図柄染め工程で用いた染料又は顔料よりも摩擦堅牢度が低いため、完成した図柄入り布製品から成る衣類（例えばジーンズ）を長期間使用すると、着用時や洗濯時の摩擦によりインディゴ染料が徐々に失われ、その下の図柄が顕在化する。なお、「インディゴ染料よりも摩擦堅牢度の高い染料又は顔料」とは、前記布を該染料又は顔料で染色して得られる染色物の摩擦堅牢度が、該布をインディゴ染料で染色して得られる染色物の摩擦堅牢度よりも高くなるような染料又は顔料を意味している。摩擦堅牢度は、JIS L 0849に定められた方法により測定することができる。
【０００９】
なお、インディゴは水に不溶であるため、アルカリ条件下でハイドロサルファイトナトリウムにより還元し、水に可溶な状態とした上で用いられる。そのため、図柄染め工程で染料を用いた場合、その種類によっては、その後のインディゴ塗布工程でインディゴと共に塗布されるハイドロサルファイトナトリウムの還元作用により、図柄が退色又は変色する可能性がある。
【００１０】
そこで、本発明に係る図柄入り布製品の製造方法では、前記染料として反応染料、特に耐還元性の高い反応染料を用いることが望ましい。このように、耐還元性の高い反応染料を図柄染め工程で用いることにより、その後のインディゴ塗布工程における図柄の退色・変色を防止又は低減することができる。
【００１１】
また、図柄染め工程で布に多量の染料又は顔料を付着させた場合、その後のインディゴ塗布工程で該図柄の上からインディゴを塗布しても、図柄が十分に隠れない場合がある。
【００１２】
そこで、本発明に係る図柄入り布製品の製造方法では、前記図柄染め工程において前記布の裏側から前記染料又は顔料を該布に付着させて、その一部を該布の表側に浸透させることにより該表側に図柄を施し、前記インディゴ塗布工程において前記布の表側からインディゴ染料を塗布することが望ましい。
【００１３】
ここで、布の表側とは、該布から衣類やバック等の製品を製造する場合に、該製品の外側に露出する側の面を意味する。上記のように、図柄を生地の裏側から施すことにより、図柄染め工程において布の表側に付着する染料や顔料の量を抑えることができるため、その上から塗布するインディゴによって図柄を十分に覆い隠すことが可能となる。
【００１４】
なお、綾織りの布では布の端（いわゆる耳）を縦方向として、綾目（布に現れる斜めの織り柄）が右上がりに見える面が表側である。綾織りではその特性上、生地の表側に経糸が多く現れ、裏側に緯糸が多く現れる。一般的にデニム生地はインディゴ染色を施した糸を経糸とし、インディゴ染色を施していない糸を緯糸として綾織りされるため、生地の表側が濃紺となり、生地の裏側は相対的に淡色となる。
【発明の効果】
【００１５】
上記の通り、本発明に係る図柄入り布製品の製造方法によれば、染料や顔料を用いてデザインや色調のバリエーションに富んだ図柄を布に施すことができる。また、該図柄の上からインディゴを塗布することで該図柄が隠蔽された状態となるが、摩擦を受けるとインディゴが色落ちして図柄が顕在化するため、継続使用による顕著な外観変化を得ることができる。
【図面の簡単な説明】
【００１６】
【図１】本発明に係る図柄入り布製品の製造方法の一実施例を示すフローチャート。
【図２】同実施例における図柄染め前の生地の表側を示す図。
【図３】同実施例における図柄染め後の生地の表側を示す図。
【図４】同実施例におけるインディゴ染料塗布後の生地の表側を示す図。
【図５】同実施例で製造された生地の表側において図柄が浮き出た状態を示す図。
【図６】本発明に係る図柄入り布製品の製造方法の別の実施例を示すフローチャート。
【発明を実施するための形態】
【００１７】
以下、本発明を実施するための形態について実施例を用いて説明する。
【実施例１】
【００１８】
図１は本実施例に係る図柄入り布製品の製造手順を示すフローチャートである。ここでは、本発明の図柄入り布製品の製造方法により図柄入りのデニム生地を製造するものとする。
【００１９】
まず、木綿糸をインディゴで糸染めし（ステップＳ１１）、染色後の糸を経糸、染色していない木綿糸を緯糸として綾織りすることでデニム生地を製織する（ステップＳ１２）。以上により得られたデニム生地は、表側に濃紺の経糸が多く出て、裏側に白い緯糸が多く出た状態となる。そのため、該デニム生地は、通常のデニム生地と同様に、表側が濃紺で裏側がほぼ白色となる。なお、この段階で一般的なデニム生地の加工で行われる退色加工（ストーンウォッシュやブリーチ）により生地の表側を図２のような淡色に変化させておいてもよい。
【００２０】
続いて、上記デニム生地を耐還元性の高い反応染料で図柄染めする（ステップＳ１３）。図柄染め後のデニム生地を表側から見た様子を図３に示す。ここで、図柄染めは、例えばフラットスクリーンやロータリースクリーン等を用いたスクリーン捺染や、インクジェット捺染等を用いた従来既知の方法によって行うことができる。なお、このとき生地の表側から図柄を施すようにしてもよいが、裏側から図柄を施した方が、後のインディゴ塗布工程において図柄上へのインディゴの乗りがよくなるため好ましい。また、裏側から図柄を施す場合、生地の裏側から表側に浸透させる染料の量を調整することで、インディゴによる図柄の隠蔽度合いを調整することができる。
【００２１】
続いて、図柄染めを施した生地の表側全面にインディゴ染料を塗布する（ステップＳ１４）。なお、インディゴ染料はハイドロサルファイトナトリウムにて還元し、アルカリ水溶液に溶解させた状態で使用される。生地への塗布方法としては、例えばロータリースクリーンやフラットスクリーン等を用いたスクリーン捺染により行うことができる。生地に塗布されたインディゴ染料は、その後、空気中の酸素によって酸化され水に不溶となると共に、紺色を呈する。その結果、図柄上に塗布されたインディゴ染料によって該図柄が隠蔽され、生地の表側からは図柄が全く見えないか殆ど見えない状態となる（図４）。なお、図柄の隠蔽度合いが不十分な場合は、インディゴ染料を複数回繰り返して塗布してもよい。
【００２２】
以上で完成した図柄入りデニム生地は、生地の表側がインディゴによる濃紺を呈し、該濃紺により生地の表側において図柄が隠蔽された状態となる。このデニム生地において、ステップＳ１３で付与された反応染料は糸の中心まで浸透して共有結合により繊維に強く固着し、高い摩擦堅牢度を発揮するのに対し、ステップＳ１４で生地に付与されたインディゴ染料は糸の表面のみに浸透し且つ固着力が比較的弱いため、摩擦堅牢度が相対的に低い。そのため、この図柄入りデニム生地から成る製品（ジーンズ等）を継続使用した場合、着用や洗濯による摩擦によって生地表面からインディゴ染料が徐々に失われ、次第に図柄が明瞭となっていく（図５）。その結果、無地のジーンズが図柄付きジーンズに変化するという顕著な外観の変化を生じることとなり、斬新でありながら飽きの来ないものとなる。更に、摩擦を受けやすい部分とそうでない部分で図柄の明瞭さに違いが生じるため、着古し感のある独特の味わいを表現することができる。
【実施例２】
【００２３】
続いて、本発明に係る図柄入り布製品の製造方法の別の実施例について説明する。図６は本実施例における図柄入り布製品の製造手順を示すフローチャートである。
【００２４】
本実施例では、製織前の糸染めを行わず、未染色の木綿糸を経糸及び緯糸として、綾織りによって生地を製織する（ステップＳ２１）。これにより、得られた生地は両面とも白色となる。続いて、顔料を用いて該生地に図柄染めを施す（ステップＳ２２）。このとき、実施例１と同じく、図柄染めは生地の裏側から行うことが望ましいが、表側から行ってもよい。該図柄染めには、顔料をエマルジョン樹脂を主成分とする固着剤に分散させて成る一般的な着色剤を用いることもできるが、特許4579966（特許文献４）に記載の着色組成物（株式会社松井色素化学工業所製、商品名：ダイストーン）を使用することが望ましい。該着色組成物は、所定の組成から成る顔料分散体に架橋剤を配合したものであり、該着色組成物を用いれば、染料で着色したような優れた風合いの着色布を得ることができる。続いて、該生地の表側全面にインディゴ染料を塗布する（ステップＳ２３）。該インディゴ染料の塗布は実施例１のステップＳ１４と同様に行うことができる。
【００２５】
以上で完成した図柄入りデニム生地は、裏側が白色であって、表側がインディゴによる濃紺を呈し、該インディゴの濃紺によって図柄が隠蔽された状態となる。このデニム生地において、ステップＳ２２で付与された顔料は繊維に強く固着し、高い摩擦堅牢度を発揮するのに対し、ステップＳ２３で生地に付与されたインディゴ染料は繊維への固着力が比較的弱く、摩擦堅牢度が相対的に低い。そのため、該デニム生地から成るジーンズ等を継続使用した場合、着用や洗濯によりインディゴ染料のみが徐々に色落ちしていき、その結果、顔料で染めた図柄が次第に顕在化する。
【００２６】
以上、実施例を挙げて本発明を実施するための形態について説明を行ったが、本発明は上記実施例に限定されるものではなく、本発明の趣旨の範囲で適宜変更が許容される。例えば、上記実施例１のステップＳ１３において、反応染料に代えて顔料を用いて図柄染めを行ってもよい。同様に上記実施例２のステップＳ２２において顔料に代えて反応染料により図柄染めを施すようにしてもよい。
【図１】
2015094057.tif 000003
【図６】
2015094057.tif 000004
【図２】
2015094057.tif 000005
【図３】
2015094057.tif 000006
【図４】
2015094057.tif 000007
【図５】
2015094057.tif 000008